(57)【特許請求の範囲】
【請求項１】
情報を表示する複数の表示部を外側に有する車両用空調装置の操作パネルにおいて、
前記複数の表示部は、それぞれ着色されて、前記操作パネルの内側に配置された主光源から入射される所定長の可視光を受けて任意の色に発光すると共に、着色された一の表示部の発光色と着色された他の表示部の発光色とを異ならせることが可能であり、
更に、前記操作パネルの内側に、前記表示部のうち調整を必要とする表示部の輝度及び／又は色味を増強させる光を発することが可能な調整光源が配置され、前記主光源と前記調整光源との合計数が前記複数の表示部の発する光の色の合計数よりも少ないことを特徴とする車両用空調装置の操作パネルの表示部の照明構造。
【請求項２】
情報を表示する複数の表示部を外側に有する車両用空調装置の操作パネルにおいて、
前記複数の表示部は、それぞれ着色されて、前記操作パネルの内側に配置された主光源から入射される所定長の可視光を受けて任意の色に発光すると共に、着色された一の表示部の発光色と着色された他の表示部の発光色とを異ならせることが可能であり、
更に、前記操作パネルの内側に、前記表示部のうち調整を必要とする表示部の輝度及び／又は色味を増強させる光を発する調整光源を配置することが可能で、前記主光源と前記調整光源との合計数が前記複数の表示部の発する光の色の合計数よりも少ない構成としたことを特徴とする車両用空調装置の操作パネルの表示部の照明構造。
【発明の詳細な説明】
【技術分野】
【０００１】
この発明は、例えば車両用空調装置等に用いられる操作パネルに関し、特にこの操作パネルの各種情報を搭乗者に提供する表示部を照明するための構造に関する。
【背景技術】
【０００２】
車両用空調装置の操作パネルは、夜間やトンネル内等における空調機器の操作時の視認性を確保し、操作パネルのデザイン性を向上させるために、搭乗者に各種情報を提供する表示部を照明するようになっている。このような表示パネルを照明する構造の一例について概説すると、例えば特許文献１に示されるように、白色光を出射する白色ＬＥＤ等の光源と可視光のうちの所定の波長域の光のみを透過させる標示部とを用いた構成となっている。
【０００３】
そして、特許文献２に示されるように、例えば、第１表示を赤色に発光させ、第２表示を緑色に発光させ、第３表示を青色に発光させる場合に、これらの表示の発光色の合計数と一致させるかたちで、赤色光のみを透過させる第１カラーフィルタ、緑色光のみを透過させる第２カラーフィルタ及び青色光のみを透過させる第３カラーフィルタを適宜配置する場合がある。
【先行技術文献】
【特許文献】
【０００４】
【特許文献１】特開２００２−１２３１９７号公報
【特許文献２】特開２００７−４１１７１号公報
【発明の概要】
【発明が解決しようとする課題】
【０００５】
しかしながら、特許文献１の標示部を透過する可視光の波長域は、例えば赤色用標示部であっても、図７（ｂ）に示されるように透過分布特性を持つために赤色の波長域の可視光に限定されず、オレンジ色、黄色等の赤色の波長域に近い波長域の可視光の一部も透過してしまうので、白色光を出射する光源のみを用いたのでは、図７（ｃ）に示されるような白色光の波長分布及び標示部の上記図７（ｂ）の特性から、赤色用標示部を透過してきた光は、図７（ａ）に示されるように、赤色光１１０とオレンジ色光、黄色光等の雑成分１２０（１２０ａ乃至１２０ｄ）とが混在して濁り、所望する鮮やかさで赤色表示が得られない場合がある。このような発光色の濁りは、緑色用標示部及び青色用標示部等においても、白色光を出射する光源のみを用い場合には同様に表れる。
【０００６】
この点、特許文献２においては、白色発光ダイオード（ＬＥＤ）等の白色光を出射する光源を用いずに、異なる色の有色光を出射することができる光源を複数用いる構成、すなわち上記のように例えば第１標示部を赤色に発光させ、第２標示部を緑色に発光させ、第３標示部を青色に発光させる場合には、これらの表示にそれぞれ赤色ＬＥＤ、緑色ＬＥＤ、青色ＬＥＤからの赤色光、緑色光、青色光を、カラーフィルタを透過させつつ照射する構成を採ることにより、所望の色彩通りに各表示を発光させることを図っている。
【０００７】
もっとも、特許文献２に示されるように、標示部の発光色の総数に対応して複数のそれぞれ異なる発光色のＬＥＤを用いた場合には、操作パネルの製造コストが相対的に高くなると共に、基板に配置されるＬＥＤの設置総和面積も大きくなってしまい、基板に配置される他の部品のレイアウトが困難となるという不具合を有する。
【０００８】
そこで、本発明は、白色光等の広範な波長領域を含む光を出射する光源により複数の色を発光する表示部をそれぞれ照明しつつ、各表示部の発光色の濁りを防止することができる操作パネルの表示部の照明構造を提供することを目的とする。
【課題を解決するための手段】
【０００９】
この発明に係る車両用空調装置の操作パネルの表示部の照明構造は、情報を表示する複数の表示部を外側に有する車両用空調装置の操作パネルにおいて、前記複数の表示部は、それぞれ着色されて、前記操作パネルの内側に配置された主光源から入射される所定長の可視光を受けて任意の色に発光すると共に、一の表示部の発光色と他の表示部の発光色とを異ならせることが可能であり、更に、前記操作パネルの内側に、前記表示部のうち調整を必要とする表示部の輝度及び／又は色味を増強させる光を発することが可能な調整光源が配置され、前記主光源と前記調整光源との合計数が前記複数の表示部の発する光の色の合計数よりも少ないことを特徴としている（請求項１）。ここで、主光源から発する光は例えば白色光や黄色光であり、主光源は例えば白色ＬＥＤや電球である。操作パネルは、例えば車両等の空調を操作するためのものである。表示部は、文字や数字や図形、記号その他の意匠等の情報提供手段を表示するものである。これらの字句の説明はこの課題を解決するための手段の欄に記載された以下の段落でも同様である。
【００１０】
これにより、着色された複数の表示部のうちの所定の表示部を照明する光の輝度が足りなかったり、着色された複数の表示部のうちの所定の表示部を透過した色彩の色味が濁ったりすることが表示部を操作パネルに組み付けた後に判明した場合でも、主光源とは別に、調整を必要とする色彩の有色光を発することが可能な調整光源が配置されているので、調整光源をＯＮにすることによって、輝度が増加し、又は所望の色彩の色味が増強されて鮮やかになりカラーフィルタを透過した光の色彩が所望の色彩に比して濁るのを防止することができる。更に、複数の表示部について、一の表示部の発光色と他の表示部の発光色とを異ならせることが可能なようにそれぞれ別の色彩で着色されているので、調整光源について、ある表示部の発光色の輝度を増加し、所望の色彩の色味が増強するように点灯したり可視光の出力量を増やしたりしても、他の輝度及び／又は色合いの調整を必要としない表示部への影響を出なくすることができる。
【００１１】
また、この発明に係る車両用空調装置の操作パネルの表示部の照明構造は、情報を表示する複数の表示部を外側に有する車両用空調装置の操作パネルにおいて、前記複数の表示部は、それぞれ着色されて、前記操作パネルの内側に配置された主光源から入射される所定長の可視光を受けて任意の色に発光すると共に、一の表示部の発光色と他の表示部の発光色とを異ならせることが可能であり、更に、前記操作パネルの内側に、前記表示部のうち調整を必要とする表示部の輝度及び／又は色味を増強させる光を発する調整光源を配置することが可能で、前記主光源と前記調整光源との合計数が前記複数の表示部の発する光の色の合計数よりも少ない構成としたことを特徴としている（請求項２）。
【００１２】
これにより、着色された複数の表示部のうちの所定の表示部を照明する光の輝度や、着色された複数の表示部のうちの所定の表示部を透過した色彩の色味の調整が要請されても、表示部は調整を必要とする表示部の輝度及び／又は色味を増強させる光を発する調整光源を配置することが可能な構成としているので、表示部に対し容易に調整光源の配置をすることができ、表示部の輝度の増加及び／又はカラーフィルタを透過した光の調整をすることが可能である。更に、複数の表示部について、一の表示部の発光色と他の表示部の発光色とを異ならせることが可能なようにそれぞれ別の色彩で着色されているので、調整光源について、ある表示部の発光色の輝度を増加し、所望の色彩の色味が増強するように点灯したり可視光の出力量を増やしたりしても、他の輝度及び／又は色合いの調整を必要としない表示部への影響を出なくすることができる。
【００１３】
そして、前記請求項１、請求項２に係る車両用空調装置の操作パネルの表示部の照明構造において、全ての着色された表示部が発する光の色の合計数よりも光源の数を少なくしたので、表示部の有する色の合計数と光源数とを同じにする場合に比較して光源の数が減少し、しかも、表示部から発する有色光の輝度やその色味を所望のものに十分に調整可能であることから、操作パネル全体としての生産性が向上される。
【発明の効果】
【００１４】
以上のように、請求項１又は請求項２に記載の発明によれば、着色された複数の表示部のうちの所定の表示部を透過する有色光の輝度が足りず、或いはその色彩の色味が濁っていることが、表示部を操作パネルに組み付けた後に判明した場合でも、この調整したい表示部の色彩と同じ有色光を発することが可能な調整光源を主光源とは別に配置することが可能であるため、この調整光源にて輝度や色味の調整を行うことができることから、調整作業が簡易であり、表示部の交換、再製作を不要とすることができる。また、請求項１又は請求項２に記載の発明によれば、複数の表示部について、一の表示部の発光色と他の表示部の発光色とを異ならせることが可能なようにそれぞれ別の色彩で着色されているので、調整光源について、ある表示部の発光色の輝度を増加し、所望の色彩の色味が増強するように点灯したり可視光の出力量を増やしたりしても、他の輝度及び／又は色合いの調整を必要としない表示部への影響を出なくすることができる。
【００１５】
更に、請求項１又は請求項２に記載の発明によれば、全ての着色された表示部が発する光の色の合計数よりも光源の数を少なくしたことにより、表示部の有する色の合計数と光源数とを同じにする場合に比較して光源の数が減少したのにかかわらず、表示部から発する有色光の輝度やその色味を所望のものに十分に調整可能であることから、操作パネルとしての生産性を向上することができる。
【図面の簡単な説明】
【００１６】
【図１】図１（ａ）は、シーソー式スイッチを用いた操作パネルのケースの一部を示す概略図であり、図１（ｂ）は、図１（ａ）の操作パネルのケースの一部からシーソー式スイッチの操作ノブを外した状態を示す概略図である。
【図２】図２は、シーソー式スイッチの操作ノブを裏側から見た状態を示す説明図である。
【図３】図３は、本発明の一例として、パネルの３つの表示部を主光源と調整光源との２つの光源で照明する構成を示す概略図である。
【図４】図４（ａ）は、調整光源によりカラーフィルタの透過後でも所望の色彩の色味が増強された状態を示す説明図であり、図４（ｂ）は、カラーフィルタの透過特性を示す説明図であり、図４（ｃ）は、主光源及び調整光源からの光の出力分布を示した説明図である。
【図５】図５は、回転式スイッチを用いた操作パネルのケースの一部を示す概略図である。
【図６】図６は、図５の操作パネルのケースの一部について回転式スイッチの操作ノブを外して裏側から見た状態を示す概略図である。
【図７】図７（ａ）は、調整光源を用いない場合のカラーフィルタ透過後における色彩の濁りを示す説明図であり、図７（ｂ）は、カラーフィルタの透過特性を示す説明図であり、図７（ｃ）は、主光源からの光の出力分布を示した説明図である。
【発明を実施するための形態】
【００１７】
以下、この発明の実施形態について添付図面を参照しながら説明する。
【００１８】
図１（ａ）及び（ｂ）において、例えば車両用空調装置の操作パネルのケース構成部品１の一部が示されており、このケース構成部品１は、図１（ｂ）に示されるように、貫通孔２を有し、この貫通孔２の周囲には、遮光性を有する素材から成り又はマスキング等の遮光用の加工が施された枠体３ａが配置されている。この枠体３ａは、例えば図３に示されるように後述する主光源１２、調整光源１３を有する基板４まで達しており、これらの光源１２、１３からの光が不用意に漏れるのを防止している。
【００１９】
このケース構成部品１の枠体３には、図１（ａ）及び図３に示されるように、操作ノブ６等から成るシーソー式スイッチ５が組み付けられている。もっとも、シーソー式スイッチ５自体は公知のものであるので、これらの図では、操作ノブ６以外の具体的な構成を省略している。このようなシーソー式スイッチ５においても、操作ノブ６を傾動操作することにより、例えば車両用空調装置にあってはＡＵＴＯエアコンのＯＮ／ＯＦＦ、送風機等の空調機器のＯＮ／ＯＦＦ等の各種制御を行うことが可能である。
【００２０】
そして、操作ノブ６は、この実施例では、図１に示されるように、長方形状の面６ａの長手方向の一方側に円状の膨出部７を形成し、この膨出部７の外面に上向きの三角形状の表示部８を配置すると共に、長方形状の面６ａの長手方向の他方側に円状の膨出部９を形成し、この膨出部９の外面に下向きの三角形状の表示部１０を配置し、更に、長方形状の面６ａのうち表示部８、１０の間となる部位の外面に円形状の表示部１１を配置したものとなっている。更に、例えば、表示部８は赤色、表示部１０は青色、表示部１１は黄色又は白色に着色されて、それぞれの表示部８、１０、１１を視認により識別することが可能になっている。
【００２１】
また、操作ノブ６は、例えば、透光性を有する素材で面６ａを有する部分を形成する一方で、表示部８、１０、１１を残して、遮光性の塗料等により面６ａを塗装し、又は遮光性の被膜を面６ａに装着すること等により、表示部８、１０、１１の範囲のみが透光性を有するものとなっており、更に、表示部８には赤色のカラーフィルタが配置され、表示部１０には青色のカラーフィルタが配置されていると共に表示部１１には何も配置されていないか白色若しくは黄色のカラーフィルタが配置されたものとなっている。図２に示されるように、操作ノブ６の裏側には枠体３ａと嵌合する枠体嵌合部３ｂが形成されており、図１（ｂ）に示されるシーソー式スイッチ５に操作ノブ６を取り付けることによって、図３に示されるように、枠体３ａ、基板４、及び操作ノブ６により区画された閉空間が形成される。そして、操作ノブ６の面６ａに対し外面とは反対側からバックライトとして白色等の波長域の広い可視光を出す主光源１２を配置した場合には、主光源１２から発せられた可視光が面６ａに向けて照射されて、表示部８、１０、１１を光が透過するので、夜間やトンネル内等でも表示部８、１０、１１の位置をその発光若しくは有色光により視認することが可能である。この主光源１２には、例えばＬＥＤのチップ等が用いられるが、それ以外の光源、例えば既存の白色電球等を用いても良い。
【００２２】
ところで、この操作パネルのケース構成部品１は、図３に示されるように、白色等の波長域の広い可視光を出射する主光源１２とは別に調整光源１３も有している。この調整光源１３も、例えばＬＥＤのチップ等が使用され、赤色域、青色域、緑色域等の特定の波長域のみの可視光を出射することが可能なものが用いられる。
【００２３】
更に、調整光源１３と主光源１２との合計数は表示部が有する色彩の総数よりも少なくなっている。すなわち、この実施例では、表示部８の発光色が赤色、表示部１０の発光色が青色、表示部１１の発光色が白色又は黄色である場合には、表示部が有する色彩の総数が３つであることから主光源１２と調整光源１３との合計数が２つになるように、調整光源１３の数は１つとなっている。一方で、調整光源１３は、調整の必要がないときには発光しないように、ＯＮ／ＯＦＦ可能としても良いものとなっている。
【００２４】
以上の構成において、操作パネルのケース構成部品１にシーソー式スイッチ５を組み付けて、表示部８、１０、１１の発光テストを行った場合等において、表示部８から発する赤色の輝度が低く暗いとか、白濁化してピンク色になっている等が判明した場合には、調整光源１３として赤色ＬＥＤ等の赤色の波長域を出射するものを基板４に装着し、照明具合を調整する。
【００２５】
これにより、図４（ｂ）に示されるように、カラーフィルタの透過特性として、所望の色彩（波長）１１０のみならず、雑成分１２０、すなわち所望の色彩に近似する領域の色彩（波長）の可視光についてその一部を透過させてしまう場合であっても、図４（ｃ）に示されるように、主光源１２から出射される白色等の波長域の広い可視光の出力分布１００と、調整光源１３から出射される赤色の域の可視光の出力分布１０１との和１０２が得られることとなる。従って、図３（ａ）に示されるように、所望の色彩（本件では赤色）１１０のみならずこれに近似する領域の色彩の雑成分１２０たる可視光が透過することは変わらないが、赤色の領域の可視光の光出力量１０２が図４（ｃ）の主光源と調整光源とから主射される可視光の出力分布の和として示されるように増大するので、カラーフィルタを透過する所望の色彩１１０の割合を増やして、色彩の濁りを抑制することができる。また輝度も高めることができる。
【００２６】
更にまた、全ての表示部８、１０、１１が発する光の色の合計数である３つよりも光源１２、１３の総数を２つと少なくしたので、表示部の有する色の合計数と光源数とを同じにする場合に比較して光源の数が減少することから、操作パネル全体としての生産性が向上される。
【００２７】
尚、所望の色彩の輝度や色彩の鮮やかさの調整手段としては、調整光源１３に入力する電流量を適宜調整し、調整光源１３からの出射量を調整することが挙げられる。このような調整手段を有することにより、光透過率を修正したカラーフィルタを再制作して輝度や色彩の鮮やかさの調整を行う場合に比べて、容易に所望する状態を得ることができる。
【００２８】
これまで示されてきた車両用空調装置の操作パネルのケース構成部品１の例示においては、シーソー式スイッチ５が使用され、しかも、このケース構成部品１とは別部品のシーソー式スイッチ５の操作ノブ６に表示部８、１０、１１がある場合について説明してきたが必ずしもこれに限定されるものではない。
【００２９】
以下、回転式スイッチ１４、１５、１６が使用され、且つケース構成部品１のケース１９の外面に２６乃至４８を有する態様について、図５及び図６を用いて説明する。但し、先の実施例と同様の構成については同一の符号を付してその説明を省略する。
【００３０】
回転式スイッチ１４、１５、１６は、それ自体は公知のもので、図６に示されるケース１９の貫通孔２０、２１、２２に、図５に示される操作ノブ２３、２４、２５をそれぞれ装着することで基本的に構成されている。ここで、回転式スイッチ１４は、空調モードをベントモード、バイレベル（Ｂ／Ｌ）モード、フットモード、デフフット（Ｄ／Ｆ）モード、デフモードのいずれかに切り換えるためのものであり、回転式スイッチ１５は、送風機の回転速度を０から４までの範囲で増減するためのものであり、回転式スイッチ１６は、吹き出し空気の温度を調整するためのものである。また、プッシュ式スイッチ１７は、デフモードにするためのものであり、プッシュ式スイッチ１８は、ＡＵＴＯエアコンをＯＮ／ＯＦＦするためのものである。
【００３１】
ケース１９は、回転式スイッチ１４の操作ノブ２３の円状の基部の周囲となる部位に、各モード及びモードとモードとの間を示す表示部２６乃至３４が表され、回転式スイッチ１５の操作ノブ２４の円状の基部の周囲となる部位に、送風機及び送風機の回転数を示す表示部３５乃至４０が表され、更に、回転式スイッチ１５の操作ノブ２５の円状の基部の周囲となる部位に、設定温度の最低値、設定温度の最高値、及びその間の設定温度の値を簡易的に示した表示部４１乃至４８が表されている。そして、回転式スイッチ１６は、この実施例では、表示部４１乃至４４が青色に着色されると共に表示部４５乃至４８が赤色に着色されて、冷暖房の区別を視認することができるようになっている。回転式スイッチ１４の表示部２６乃至３４及び回転式スイッチ１５の表示部３５乃至４０は、この実施例では、その色彩は基本的にカラーフィルタを透過した可視光の色彩に委ねられている。
【００３２】
また、ケース１９は、図６に示されるように、内面側から見て、回転式スイッチ１４、１５、１６の操作ノブ２３、２４、２５の円状の基部の周囲となる部位において、窪み部４９、５０、５１が円環状に形成されている。更に、窪み部５１は、この実施例では、仕切り壁５２が形成されて、窪み部５１を窪み部５１ａと窪み部５１ｂとに区分けしている。
【００３３】
そして、ケース１９は、少なくとも窪み部４９乃至５１の貫通孔２０乃至２２の周縁面について、先の実施例の操作ノブ６の面６ａと同様に、例えば、透光性を有する素材で形成する一方で、各表示部２６乃至４８を残して、遮光性の塗料等により窪み部４９乃至５１を塗装し、又は遮光性の被膜を窪み部４９乃至５１に装着すること等により、表示部２６乃至４８の範囲のみが透光性を有するものとなっている。更に、表示部４１乃至４４には青色のカラーフィルタが配置され、表示部４５乃至４８には赤色のカラーフィルタが配置されており、表示部２６乃至３４及び表示部３５乃至４０表示部には所望の色彩のカラーフィルタが配置されている。これにより、ケース１９の窪み部４９乃至５１の貫通孔２０乃至２２周縁面に対し外面とは反対側からバックライトとして白色等の波長域の広い可視光を出す主光源１２を配置した場合には、図３に示される場合と同様に、主光源１２から発せられた可視光が窪み部４９乃至５１の貫通孔２０乃至２２周縁面に向けて照射されて、表示部２６乃至４８を光が透過するので、夜間やトンネル内等でも表示部２６乃至４８の位置をその発光若しくは有色光により視認することが可能である。
【００３４】
ここで、例えば赤色のカラーフィルタが配置された表示部４５乃至４８の輝度や色彩の濁りへの調整が必要となった場合には、表示部４５乃至４８に照射可能な位置に調整光源１３となる赤色ＬＥＤ等を装着する。これにより、図３（ａ）に示されるように、赤色の領域の可視光の出力量１０２が増大するので、表示部４５乃至４８を透過する可視光における所望の色彩１１０の量や割合を増大することができ、輝度不足や濁りによる色彩の不鮮明を解消することができる。
【００３５】
尚、赤色ＬＥＤから出射された赤色波長の可視光が、表示部４５乃至４８だけでなく、青色のカラーフィルタが配置された表示部４１乃至４４にも到達するような設定がなされていても、赤色ＬＥＤから出射された赤色波長の可視光による表示部４１乃至４４の輝度や色彩への影響は出ない。これは、青色のカラーフィルタは青色の波長及びその近傍の波長の一部のみを透過する特性を有しているので、この青色のカラーフィルタに赤色の波長を照射したとしても、赤色の波長が青色のカラーフィルタを透過することがないことによるものである。
【００３６】
ところで、例えば、回転式スイッチ１４において、表示部２６乃至表示部３４を透過する発光色の色彩の総数が例えば４つの場合には、図示しないが、主光源の他に調整光源が２つ基板に配置されたものとなっており、この調整光源により先の実施例と同様にカラーフィルタを透過した色彩の濁りを抑制することができ、また輝度も高めることができる。
【符号の説明】
【００３７】
１  ケース構成部品
２  貫通孔
３ａ  枠体
３ｂ  枠体嵌合部
４  基板
５  シーソー式スイッチ
６  操作ノブ
７  膨出部
８  表示部
９  膨出部
１０  表示部
１１  表示部
１２  主光源
１３  調整光源
１４乃至１６  回転式スイッチ
１７及び１８  プッシュ式スイッチ
１９  ケース
２０乃至２２  貫通孔
２３乃至２５  操作ノブ
２６乃至４８  表示部
４９乃至５１  窪み部
５２  仕切り壁
１００  主光源から主射される可視光の出力分布
１０１  調整光源から主射される可視光の出力分布
１０２  主光源と調整光源とから主射される可視光の出力分布の和
１１０  所望の色彩
１２０  雑成分
【図１】
0005498248.tif 000002
【図２】
0005498248.tif 000003
【図３】
0005498248.tif 000004
【図４】
0005498248.tif 000005
【図５】
0005498248.tif 000006
【図６】
0005498248.tif 000007
【図７】
0005498248.tif 000008